(57)【要約】【課題】インキカスが細かく、拭き取りが良好な状態を維持することができるホワイトボード用消去具を得る。【解決手段】基材８（１０）に繊維束７（９）を植毛した略矩形状の払拭面６を有するホワイトボード用消去具１であって、払拭面６の角部６ｂの繊維束９が払拭面６の中間部６ａの繊維束７の基材８からの突出量より小さく且つ払拭面６の中間部６ａの繊維束７の密度より高く、角部６ｂの繊維束９がホワイトボード１１の筆記面１１ａに当接することにより、払拭面６の中間部６ａの繊維束７の変形量を制限する構造とした。【選択図】図１
2011131496.tif 000002
【特許請求の範囲】
【請求項１】
基材に繊維束を植毛した略矩形状の払拭面を有するホワイトボード用消去具であって、前記払拭面の角部の繊維束が該払拭面の中間部の繊維束の基材からの突出量より小さく且つ当該払拭面の中間部の繊維束の密度より高く、前記角部の繊維束がホワイトボードの筆記面に当接することにより、前記払拭面の中間部の繊維束の変形量を制限する構造であることを特徴としたホワイトボード用消去具。
【発明の詳細な説明】
【技術分野】
【０００１】
本発明は、ホワイトボードの筆記面に筆記されたインキによる筆跡を消去するホワイトボード用消去具に関する。
【背景技術】
【０００２】
従来より、ホワイトボードにインキで書き込まれた文字や図形を払拭するホワイトボード用消去具はよく知られており、例えば特開平８−６７０９６号公報に記載されているように、基材に対して化繊からなる繊維束を植毛して払拭面を形成したものが多く使用されている。
【０００３】
ところで前述したホワイトボード用消去具の払拭面は、繊維束の繊維が細いほどインキカスを細かくでき、さらに繊維束を植毛した基材からの突出量を大きくすると共に繊維間に隙間を設けることにより、インキカスを繊維間に溜めやすく拭き取りが良好となる一方で、ホワイトボード用消去具をホワイトボードの筆記面に強く押し付けたときに、繊維束の一本一本が撓んでしまい筆記面に対して繊維が線接触する状況になることから、インキカスが大きくなって拭き取り不良を生じさせてしまうという問題があった。
【先行技術文献】
【特許文献】
【０００４】
【特許文献１】特開平８−６７０９６号公報
【発明の概要】
【発明が解決しようとする課題】
【０００５】
本発明はこうした事実に鑑み、インキカスが細かく、拭き取りが良好な状態を維持することができるホワイトボード用消去具を得ることを目的とする。
【課題を解決するための手段】
【０００６】
本発明は、
「基材に繊維束を植毛した略矩形状の払拭面を有するホワイトボード用消去具であって、前記払拭面の角部の繊維束が該払拭面の中間部の繊維束の基材からの突出量より小さく且つ当該払拭面の中間部の繊維束の密度より高く、前記角部の繊維束がホワイトボードの筆記面に当接することにより、前記払拭面の中間部の繊維束の変形量を制限する構造であることを特徴としたホワイトボード用消去具。」である。
【０００７】
払拭面の角部における繊維束の基材からの突出量および密度は、ホワイトボード用消去具を筆記面に強く押し付けた際に、払拭面の中間部の繊維束が撓みすぎて、筆記面に対して繊維が線接触しないよう制限できる設定とすることが肝要である。
【発明の効果】
【０００８】
本発明のホワイトボード用消去具は前記したような構造なので、払拭面の繊維を細くすることができ、インキカスを細かくすることができると共に、ホワイトボード用消去具をホワイトボードの筆記面に強く押し付けた場合においても、払拭面の角部の当接部が筆記面に当接することによって払拭面の中間部の繊維束の変形を抑えることができるので、良好な拭き取り状態を維持することができ、また強く押し付けた際に筆記面に対して払拭面の角部が接触した場合においても、払拭面の角部が払拭面の中間部と同様に繊維束であることことから、筆記面を傷つけることなくインキを払拭することができる。
【図面の簡単な説明】
【０００９】
【図１】本実施例のホワイトボード用消去具を示す斜視図である。
【図２】図１の断面図である。
【図３】図１におけるホワイトボード用消去具を分解した状態を示す図である。
【図４】本実施例のホワイトボード用消去具の使用状態を示す図である。
【図５】本実施例のホワイトボード用消去具でインキを払拭している状態を示す図である。
【図６】本実施例のホワイトボード用消去具をホワイトボードの筆記面に強く押し付けた状態を示す図である。
【図７】比較例の図である。
【発明を実施するための最良の形態】
【００１０】
ホワイトボードの筆記面に筆記したインキを良好な状態を維持して拭き取ることができるホワイトボード用消去具を実現した。
【実施例】
【００１１】
本実施例を図面を用いて説明するが、本発明はこれに限定されるものではない。同じ部材同じ箇所を示す場合は同じ符号を付してある。また各図共に発明を理解しやすいように図面を模式的に表現してある。
【００１２】
図１に示すホワイトボード用消去具１は、図２の断面で示すようにケース２の開口部２ａの底面に貼付けた両面テープ３でスポンジ体４を固着してあり、スポンジ体４の表面に貼付けた両面テープ５に、払拭面６の中間部６ａとなる繊維束７を植毛した基材８と、払拭面６の角部６ｂとなる繊維束９を植毛した基材１０とを貼付けてある。尚、本実施例では、図３に示すように、基材８の四つの角部を１０ｍｍ角で切り欠いた切欠部８ａを形成してあり、切欠部８ａと同形状である１０ｍｍ角の基材１０が基材８の切欠部８ａに合致するようにして、両面テープ５に貼付けた状態で、払拭面６の表面が長手方向１３０ｍｍ、短手方向５０ｍｍの矩形状となるよう形成してある（図１参照）。また繊維束７はナイロンからなる太さが６０μｍの繊維を密度２，７９０本／ｃｍ2（１８，０００本／ｉｎｃｈ2）で植毛したもので、基材８の表面８ｂから繊維束７の先端７ａまでの突出量Ｔ１を９ｍｍとしてある。また繊維束９はナイロンからなる太さが６０μｍの繊維を密度３，７２０本／ｃｍ2（２４，０００本／ｉｎｃｈ2）で植毛したもので、基材１０の表面１０ａから繊維束９の先端９ａまでの突出量Ｓを７ｍｍとしてある。本実施例では基材８と基材１０とをポリエステルで形成してあり、同一平面上に位置するよう両面テープ５に貼付けてある。
【００１３】
次に図４，図５を用いて本実施例のホワイトボード用消去具の使用状態について説明を行う。図４に示すように、ホワイトボード１１の筆記面１１ａに筆記されたインキ１２を拭き取るために、筆記面１１ａに本実施例のホワイトボード消去具１を当接させ、矢印Ｘ方向に押し付ける力と矢印Ｙ方向への動きによって、繊維束７の先端７ａが矢印Ｙ方向の反対方向へ向くように繊維束７が撓んで、基材８の表面８ｂから繊維束７の先端７ａ（筆記面１１ａ）までの突出量Ｔ２が８ｍｍとなりながら、図５に示すように繊維束７の先端７ａにてインキ１２を細かく粉砕しながら、インキカス１２ａを繊維束７の中に溜めて筆記面１１ａのインキ１２を良好な状態で払拭することができた。さらに矢印Ｘ方向への力を強めると、図６に示すように図５の状態よりさらに繊維束７は撓むこととなるが、筆記面１１ａに繊維束９の先端９ａが当接することで繊維束７の変形が抑えられ、最大でも、基材８の表面８ｂから繊維束７の先端７ａ（筆記面１１ａ）までの突出量Ｔ３が、基材１０の表面１０ａから繊維束９の先端９ａまでの突出量Ｓと同じ７ｍｍまでとなるように変形を制限することができた。したがってホワイトボード用消去具１を強く矢印Ｘ方向に押し付けた状態でインキを消した場合においても、常に筆記面１１ａに対して繊維束７の先端７ａが当接することとなり良好な状態を維持して払拭を行うことができ、また繊維束９の先端９ａが筆記面１１ａに接触した場合においても、繊維束９によって筆記面１１ａを傷つけることなく繊維束９の先端９ａでもインキを払拭することができるものとなった。
【００１４】
図７の比較例におけるホワイトボード用消去具１００は、払拭面６の全面に、前述の実施例における繊維束７を基材８に植毛したものである。他の点は前述の実施例のホワイトボード用消去具１の構造と同様のため説明を省略する。図７に示すように比較例のホワイトボード用消去具１００は、図６に示したホワイトボード用消去具１と同じ矢印Ｘ方向への力を掛けた際に、基材８の表面８ｂから先端７までの突出量Ｔ４が６ｍｍとなり、繊維束７が撓みすぎて筆記面１１ａに対して繊維束７が線状に接触してしまい、インキカス１２ｂが大きくなって、繊維束７の中にインキカス１２ｂを溜めることができずに外部にこぼれ落ちてしまい、良好な払拭を妨げてしまうことがあった。
【産業上の利用可能性】
【００１５】
本発明のホワイトボード用消去具は、インキ内に含まれる顔料や染料などの色成分が多く含まれるインキで筆記した筆跡を拭き取る場合においても好適である。
【符号の説明】
【００１６】
１…ホワイトボード用消去具、
２…ケース、２ａ…開口部、
３…両面テープ、４…スポンジ体、５…両面テープ、
６…払拭面、６ａ…中間部、６ｂ…角部、
７…繊維束、７ａ…先端、
８…基材、８ａ…切欠部、８ｂ…表面、
９…繊維束、９ａ…先端、
１０…基材、１０ａ…表面、
１１…ホワイトボード、１１ａ…筆記面、
１２…インキ、１２ａ…インキカス。
【図１】
2011131496.tif 000003
【図２】
2011131496.tif 000004
【図３】
2011131496.tif 000005
【図４】
2011131496.tif 000006
【図５】
2011131496.tif 000007
【図６】
2011131496.tif 000008
【図７】
2011131496.tif 000009